(57)【特許請求の範囲】
【請求項１】
キー操作部を有する筺体と、このキー操作部を覆うためのスライドするカバーとを具備する携帯形無線装置において、
前記カバーは、前記キー操作部を露呈させた状態にあるとき、前記キー操作部の少なくとも１個のキーに対応する位置に、カバーと一体に形成されたキー押圧部を具備していることを特徴とする携帯形無線装置。
【請求項２】
前記キー押圧部は、前記カバーが前記キー操作部を覆った状態にあるとき、異なるキーに対応して位置していることを特徴とする請求項１に記載の携帯形無線装置。
【請求項３】
前記筺体は、前記カバーがキー操作部を覆った状態またはキー操作部を露呈させた状態のいずれか一方のときしかキー操作部のキーに対応していない前記キー押圧部が存在するとき、前記キーに対応していない位置にある前記キー押圧部の少なくとも１個の位置に押下防止用の凸部を具備していることを特徴とする請求項１または２に記載の携帯形無線装置。
【請求項４】
キー操作部を有する筺体と、このキー操作部を覆うためのスライドするカバーとを具備する携帯形無線装置において、
前記筺体が送話部を具備し、前記カバーは、前記キー操作部を露呈させた状態にあるとき、前記送話部に対応する部位に送話用開口部を具備していることを特徴とする携帯形無線装置。
【請求項５】
前記筺体が送話部を具備し、前記カバーは、前記キー操作部を露呈させた状態にあるとき、前記送話部に対応する部位に送話用開口部を具備していることを特徴とする請求項１、２、または３に記載の携帯形無線装置。
【請求項６】
キー操作部を有する筺体と、このキー操作部を覆うためのスライドするカバーとを具備する携帯形無線装置において、前記筺体が送話部を具備し、前記カバーは、前記キー操作部を覆った状態にあるとき、前記送話部に対応する部位に送話用開口部を具備し、前記カバーは、前記キー操作部を露呈させた状態にあるとき、前記送話部に対応する部位に第二の送話用開口部を具備していることを特徴とする携帯形無線装置。
【請求項７】
キー操作部を有する筺体と、前記筺体の任意の被格納部位を覆うためのスライドするカバーとを具備する携帯形無線装置において、
前記カバー及び筺体の双方がレールを具備し、この双方のレールが係合した状態で前記カバーは筺体に対してスライドし、少なくとも前記カバーが被格納部位を覆った状態にあるとき及び前記カバーがこの状態から移動して任意の状態にあるときに、前記カバーを前記筐体に固定するロック機構を具備し、前記ロック機構が、前記カバーに形成された爪部と前記筐体に形成された前記爪部に係合するロック部とより成り、前記爪部は、前記カバーの端から延びる腕形部の先端に設置され、前記カバーの弾性を利用して、前記ロック部に係合することを特徴とする携帯形無線装置。
【請求項８】
キー操作部を有する筺体と、前記筺体の任意の被格納部位を覆うためのスライドするカバーとを具備する携帯形無線装置において、
前記カバー及び筺体の双方がレールを具備し、この双方のレールが係合した状態で前記カバーは筺体に対してスライドし、少なくとも前記カバーが被格納部位を覆った状態にあるとき及び前記カバーがこの状態から移動して任意の状態にあるときに、前記カバーを前記筐体に固定するロック機構を具備し、前記カバーの筐体からの抜けを防止するため、カバーに対向する前記筐体の面及び筺体に対向する前記カバーの面の双方に、前記カバーが前記筐体に対して最も開いた状態で係合する位置に突起を設け、前記筐体に対して最も開いた状態にある前記カバーのがたつきを防ぐため、前記筺体またはカバーの一方に設けた前記突起に、他方に設けた突起を押し上げ付勢する凸形状を付加したことを特徴とする携帯形無線装置。
【発明の詳細な説明】
【０００１】
【発明の属する技術分野】
本発明は、スライド開閉するカバーを有する携帯形無線装置に関し、特に、カバーを閉じた状態でも通話ができるようにしたものである。
【０００２】
【従来の技術】
従来、携帯形無線装置では、携帯時の小型化及びキー操作部の保護のために、折り畳み構造や回転する蓋を用いてキー操作部を覆う構造が採用されており、また、近年では、スライド開閉するカバーでキー操作部を覆う構造のものが一部で実用化されている。
【０００３】
従来のスライド開閉するカバーを有する携帯形無線装置は、図９に示すように、通話開始キー２ａ及びテンキー２ｂを含むキー操作部２を有する筺体１と、筐体１に対してレール部７によりスライド自在であるカバー４とを具備しており、カバー４は、キー操作部２を覆った状態または露呈した状態に移動させることができる。また、カバー４には送話器３が設けられている。
【０００４】
この携帯形無線装置は、携帯時にはカバー４を閉じることによりキー操作部を保護し、小型化して持ち運ぶことができる。通話を開始するときは、カバー４を開いてキー操作部２を露呈することにより、キー操作が可能になり、通話状態にすることができる。このとき、送話器３はカバー４に内蔵されているため、カバー４に追従して送話者の口元に位置することができる。
【０００５】
【発明が解決しようとする課題】
しかし、従来の構成では、携帯時にカバーでキー操作部２が覆われているため直ぐにはキー操作ができない。特に、受信した場合に、カバー４を開く動作を行わなければ、通話を開始することができないという問題点を有していた。
【０００６】
また、カバーに内蔵された送話器３と装置本体とを通電する必要があるため、構成が複雑になり、故障や破損の可能性が高いという問題点を有していた。
【０００７】
また、近年、携帯形無線装置では、小型化が著しく進んでいるが、キーの数は減少することがあまりなく、キーの大きさや間隔が小さくなる傾向にある。その結果として、キー操作がやり難くなって来ている。
【０００８】
また、最近は、発信する電話番号を携帯形無線装置のメモリーに記憶させ、発信先をメモリーの電話帳から検索して、そのまま通話ボタンを押して発信する場合が増えており、ダイヤル用テンキーを使用する頻度は減ってきている。しかし、キー操作部には沢山のキーがあり、前述するように、キーの大きさが小さくなり、間隔が狭くなっているため、キーの誤操作が生じやすく、少ない数のキーを操作するだけで通信が可能になるメリットを十分に生かし切れていない状況にある。
【０００９】
本発明は、こうした従来の問題点を解決するものであり、カバーをした状態でもキー操作や通話が可能であり、また、破損や故障の可能性が少ない携帯形無線装置を提供することを目的としている。
【００１０】
また、使用頻度の少ないテンキーを覆って見かけ上のキーの数を減らし、誤操作を減らして、操作性を向上させた携帯形無線装置を提供することを目的としている。
【００１１】
また、操作性を犠牲にせずに小型化した携帯形無繰装置を提供することを目的としている。
【００１２】
【課題を解決するための手段】
そこで、本発明の携帯形無線装置では、キー操作部を覆うカバーの少なくとも１個のキーに対応する位置にキー押圧部を設けている。
【００１３】
また、筺体に送話部を設け、キー操作部を覆うカバーの送話部に対応する位置に送話用開口部を設けている。
【００１４】
また、カバー及び筺体の双方にレールを設け、この双方のレールが係合した状態でカバーが筺体に対してスライドし、少なくともカバーがキー操作部を覆う状態にあるとき及びキー操作部を露呈させた状態にあるときに、カバーを筐体に固定するロツク機構を設けている。
【００１５】
そのため、カバーを閉じた状態のままキーを操作して、キー押圧部を押して通信を開始することができる。カバーに設けるキー押圧部は、通話開始キーなど、限られたキーだけに対応させることによって、見かけ上のキーの数を減らし、操作性を向上させることができる。
【００１６】
また、カバーを閉じた状態のまま送話器から送話することができる。
【００１７】
また、カバーを閉じた状態に保ってカバーをロックし、また、カバーをスライドして、キー操作部を開いた状態に保ってカバーをロックすることができるため、操作性が向上する。
【００１８】
【発明の実施の形態】
請求項１に記載の発明は、キー操作部を有する筺体と、このキー操作部を覆うためのスライドするカバーとを具備する携帯形無線装置において、前記カバーは、前記キー操作部を露呈させた状態にあるとき、前記キー操作部の少なくとも１個のキーに対応する位置に、カバーと一体に形成されたキー押圧部を具備したものである。
【００１９】
請求項２に記載の発明は、前記キー押圧部は、前記カバーが前記キー操作部を覆った状態にあるとき、異なるキーに対応して位置したものである。
【００２０】
請求項３に記載の発明は、前記筺体は、前記カバーがキー操作部を覆った状態またはキー操作部を露呈させた状態のいずれか一方のときしかキー操作部のキーに対応していない前記キー押圧部が存在するとき、前記キーに対応していない位置にある前記キー押圧部の少なくとも１個の位置に押下防止用の凸部を具備したものである。
【００２１】
請求項４に記載の発明は、キー操作部を有する筺体と、このキー操作部を覆うためのスライドするカバーとを具備する携帯形無線装置において、前記筺体が送話部を具備し、前記カバーは、前記キー操作部を露呈させた状態にあるとき、前記送話部に対応する部位に送話用開口部を具備したものである。
【００２２】
請求項５に記載の発明は、前記筺体が送話部を具備し、前記カバーは、前記キー操作部を露呈させた状態にあるとき、前記送話部に対応する部位に送話用開口部を具備したものである。
【００２３】
請求項６に記載の発明は、キー操作部を有する筺体と、このキー操作部を覆うためのスライドするカバーとを具備する携帯形無線装置において、前記筺体が送話部を具備し、前記カバーは、前記キー操作部を覆った状態にあるとき、前記送話部に対応する部位に送話用開口部を具備し、前記カバーは、前記キー操作部を露呈させた状態にあるとき、前記送話部に対応する部位に第二の送話用開口部を具備したものである。
【００２４】
請求項７に記載の発明は、キー操作部を有する筺体と、前記筺体の任意の被格納部位を覆うためのスライドするカバーとを具備する携帯形無線装置において、前記カバー及び筺体の双方がレールを具備し、この双方のレールが係合した状態で前記カバーは筺体に対してスライドし、少なくとも前記カバーが被格納部位を覆った状態にあるとき及び前記カバーがこの状態から移動して任意の状態にあるときに、前記カバーを前記筐体に固定するロック機構を具備し、前記ロック機構が、前記カバーに形成された爪部と前記筐体に形成された前記爪部に係合するロック部とより成り、前記爪部は、前記カバーの端から延びる腕形部の先端に設置され、前記カバーの弾性を利用して、前記ロック部に係合したものである。
【００２５】
請求項８に記載の発明は、キー操作部を有する筺体と、前記筺体の任意の被格納部位を覆うためのスライドするカバーとを具備する携帯形無線装置において、前記カバー及び筺体の双方がレールを具備し、この双方のレールが係合した状態で前記カバーは筺体に対してスライドし、少なくとも前記カバーが被格納部位を覆った状態にあるとき及び前記カバーがこの状態から移動して任意の状態にあるときに、前記カバーを前記筐体に固定するロック機構を具備し、前記カバーの筐体からの抜けを防止するため、カバーに対向する前記筐体の面及び筺体に対向する前記カバーの面の双方に、前記カバーが前記筐体に対して最も開いた状態で係合する位置に突起を設け、前記筐体に対して最も開いた状態にある前記カバーのがたつきを防ぐため、前記筺体またはカバーの一方に設けた前記突起に、他方に設けた突起を押し上げ付勢する凸形状を付加したものである。
【００４０】
以下、本発明の実施の形態について、図面を用いて説明する。
【００４１】
（第１の実施形態）
第１の実施形態の携帯形無線装置は、図１に示すように、筺体１に対してスライド可能なカバー４を具備している。図１（ａ）はカバー４を閉じた状態を示す正面図、図１（ｂ）はカバーを開いた状態を示す正面図、また、図１（ｃ）はカバーを開いた状態を示す側面図である。
【００４２】
また、図２（ａ）は、カバー４の分解斜視図であり、図２（ｂ）はカバー４の裏面図である。カバー４には、カバーと一体になったキー押圧部５が設けられており、このキー押圧部５を押すと、そのキー押圧部５の下に位置する筺体１のキーが押されることになる。このキー押圧部５は、カバー４の形成素材である樹脂とは異なる材質のエラストマー樹脂で形成され、これらの２種の材質を２色成形法を用いて一体成形することにより、図２（ａ）、（ｂ）のカバー４が成形される。４ａはエラストマー樹脂の部分であり、２色成形の都合上、異なる材質の境界に境界線が現れる。この境界線を隠すため、カバー４の表側には化粧パネル16を嵌め込む。化粧パネル16には、キー押圧部５を露出させるための孔が設けられている。
【００４３】
また、カバー４は、送話用の開口を２カ所（図１（ａ）（ｂ）の６ａ、６ｂ）に有しており、化粧パネル16にも、それらの開口と一致する位置に孔が設けられている。図２（ｂ）の８は、この開口の周囲に設けられた筒状のリブである。
【００４４】
また、カバー４は、筐体１に設けられているレール部７と係合するレール部を具備し、図１（ａ）の状態から図１（ｂ）の状態にスライドすることができる。また、図２（ｂ）の10は、筐体１に対してカバー４の位置を位置決めするロック用爪であり、また、22は、ストッパ用の突起部である。これらのカバー４のスライド機構及び位置決め機構については、第２の実施形態で詳述する。
【００４５】
一方、筐体１には、図１（ａ）、（ｂ）に示すように、通話開始キー２ａ、クリアキー、終了キー、テンキー２ｂ、メモキー、ボイス・マナーキーなどを含む操作キー２が設けられており、また、筐体１の下部には送話器３が設けられている。
【００４６】
図１（ａ）に示すように、カバー４を閉じた状態において、カバー４の５つの押圧部５は、操作キー２の通話開始キー２ａ、クリアキー、終了キー、メモキー及びボイス・マナーキーの上に位置しており、ユーザは、この押圧部５を押すことによって、カバー４を閉じたまま、これらのキーを操作することができる。
【００４７】
また、カバー４を閉じた状態において、カバー４の送話用開口部６ａは送話器３の上に位置しており、ユーザはカバー４を閉じたまま、送話器３から送話することができる。
【００４８】
そのため、カバー４を閉じてこの装置を携帯する場合でも、カバー４の押圧部５を操作して通話開始キー２ａを押すことにより、カバーを開く動作を行うことなく、通話を開始することができる。
【００４９】
また、図１（ｂ）に示すように、カバー４を開いた状態では、送話器３の上にカバー４の他の送話用開口部６ｂが位置し、ユーザは、この送話用開口部６ｂを介して送話器３に音声を入力する。
【００５０】
また、カバー４を開いた状態において、カバー４の５つの押圧部５の内、２つの押圧部５がメモキー及びボイス・マナーキーの上に位置しており、ユーザは、カバー４を開いた状態でこれらのキーを操作する場合には、その上に位置する押圧部５を押すことになる。
【００５１】
このように、カバー４を開いたとき、カバー４の押圧部５が、カバー４を閉じたときとは異なるキーの上に位置し、この押圧部５を押すことによって、カバー４を開いた状態でも操作キーの一部をカバー４の上から操作できるように構成することによって、装置を小型化することができる。
【００５２】
なお、カバー４を開いた状態のとき（図１（ｂ））、メモキー及びボイス・マナーキーの上に位置する押圧部５の中間の押圧部５の下にはキーが存在しない。こうした状態において、その押圧部５を押し下げると、カバー４が過大変形して破損する虞れがある。そうした事態を防止するため、図３（ｃ）に示すように、押圧部５の押し下げ量を制限する押下防止凸部15を筐体１の押圧部５の真下に配置している（図３（ａ）、（ｂ））。この押下防止凸部15の厚みは、キー操作部２のキーの突出量と同程度である。
【００５３】
こうした押下防止凸部15の設置によって、使用しない押圧部５の押圧操作による過大変形を防止することができ、破損の可能性を減少させることができる。
【００５４】
また、送話器３は、図４（ｂ）（図１のＡ−Ａ断面図）に示すように、筐体１内に収納されており、筐体１に設けられた送話器３用開口の周囲には、この開口の半周を囲むようにリブ９が形成されている。一方、カバー４の通話用開口部６ｂの周囲には、筒状のリブ８（図４（ｂ）、図２（ｂ））が設けられており、この筒状リブ８はリブ９に嵌合している。そのため、送話用開口部６ｂと送話器３間の音漏れを防止することができ、通話品質の劣化を防ぐことができる。
【００５５】
このように、この携帯形無線装置では、カバー４を閉じたまま、カバー４の押圧部５を操作して通話を行うことができる。この押圧部５の数は、キー操作部２のキーの数に比べて少なく、この押圧部５の操作では、メモリーの電話帳から検索した発信先に発信したり、受信時に通話を開始したりするような、少ない数のキーを使用する通信動作だけが可能になる。裏返して言えば、これらの通信動作を行うときに不要なキーは全てカバー４で覆われているため、誤操作の発生を防ぐことができる。
【００５６】
また、この装置では、送話器３が筐体１に内蔵されているため、送話器をカバー側に設けるものと違って、構成が簡単であり、故障の可能性も減少できる。また、筒状リブ８及び嵌合リブ９によって送話用開口部６ｂと送話器３間の音漏れを防止することができ、通話品質の劣化を防ぐことができる。
【００５７】
また、カバー４をスライドして筐体１のキー操作部２を開いた状態のときでも、カバー４の押圧部５の一部がキーの上に位置し、この押圧部５を押すことによって、カバー４を開いた状態でも操作キーの一部をカバー４の上から操作できるように構成することによって、装置を小型化することができる。
【００５８】
また、カバー４と押圧部５とは、一体成形されているため、装置を小型化することができるとともに、部品点数を減らすことができ、コストが低減し、破損の可能性も減少する。
【００５９】
なお、ここでは筒状リブ８とリブ９とを嵌合させる場合を説明したが、カバー４または筐体１の一方のみに筒状リブだけを設けるようにしても良い。
【００６０】
また、カバー４を開いた状態において、筐体１のキー操作部２のキーが全て露呈するように構成しても良い。
【００６１】
また、カバー４を開いた状態において、送話器３が露呈するように構成し、カバー４には、送話用開口部として、閉じた状態のときに送話器３の位置に対応する送話用開口部６ａだけを設けるようにしても良い。
【００６２】
（第２の実施形態）
第２の実施形態では、第１の実施形態の携帯形無線装置におけるカバーのスライド機構及びストッパ機構について説明する。
【００６３】
図５（ｂ）には、図５（ａ）の携帯形無線装置のＢ−Ｂ部における断面を図示している。筐体１のレール部７（図１（ｃ））に沿うカバー４の端縁には、内方向に屈曲するレール部17が設けられており、このレール部17が筐体１のレール部７と係合し、この係合状態を保ちながら、カバー４は筐体１に対してスライドされる。
【００６４】
また、スライドするカバー４を筐体１に対して位置決めするため、カバー４には、カバーの端から延びる腕形の先端にロック用爪10（図２（ｂ））が配設されており、また、筐体１には、このロック用爪10が係合するロック部11ａ及び11ｂ（図１（ｂ））が一体的に設けられている。この腕形によりロック用爪10には内方向への弾性力が付与される。
【００６５】
このロック用爪10は、カバー４がキー操作部２を覆った状態（閉じた状態）のときにロック部11ａと係合し、また、カバー４がキー操作部２を露呈した状態（開いた状態）のときにロック部11ｂと係合する。図６（ａ）には、ロック部11ａとロック用爪10との係合状態を拡大した部分正面図を示しており、また、図６（ｂ）には、ロック部11ｂとロック用爪10との係合状態を拡大した部分正面図を示している。
【００６６】
このように、カバー４と一体成形されたロック用爪10が、カバーの弾性を利用して、筺体１側に設けられたロック部11ａまたは11ｂに係合することにより、カバー４は、閉じた状態または開いた状態に位置決めされる。
【００６７】
また、筺体１の下方の両側には、筺体１の長手方向に延びるストッパー用突起12が設けられている（図４（ａ）（ｃ）、図７（ａ）（ｂ））。この突起12は、図７（ａ）の側面図に示すように、突出量が最も高い部分12とそれに連なる突出量が少ない部分13とを有しており、この突出量が少ない部分13はカバー４のがたつきを防止する作用をする。
【００６８】
カバー４の内側には、カバーの短辺方向に延びるストッパー用突起22が設けられており（図２（ｂ））、カバー４を開く方向にスライドしたとき、この突起22が筺体１のがたつき防止部13の上に乗り上げ、そのためレール７、17間の隙間が無くなり、カバー４のがたつきが除かれる。また、この突起22がストッパー用突起12に当接すると、カバー４のそれ以上の移動が阻止される。
【００６９】
また、開いた状態のカバー４に対して、スライド方向にさらに強い力を加えたり、カバー４の垂直方向から大きな外力が加わった場合には、カバー４が筺体１から外れる。
【００７０】
外れたカバー４を再び筺体１に装着する場合には、図８（ａ）に示すように、矢印Ｄの方向から力を加えて、カバー４のレール17を筺体１のレール７に嵌め込む。
【００７１】
こうした筺体１へのカバー４の装着を円滑に実施できるように、図８（ａ）、（ｃ）に示すように、筺体及びカバーのレール７、17の内、カバー４が筐体１に対して最も開いた状態で係合する双方のレール７、17の範囲に面取り部７ａ、17ａを形成している。
【００７２】
従って、外れたカバー４の面取り部17ａが筺体１の面取り部７ａと接するように、カバー４を筺体１の上に重ね、次いで、カバー面の垂直方向から力を加えることにより、カバー４のレール17が筺体７のレールの下に嵌まり込み、カバー４が筺体１に装着される。
【００７３】
こうした構成により、カバー４の着脱を容易に行うことができ、また、カバー４を開いた状態で外部から無理な力が加わった場合でも、カバーが外れることで破損を防止することができる。
【００７４】
また、この装置では、図８（ｂ）に拡大して示すように、カバー４をロックする筐体上の位置には、表示14を設けている。ユーザは、この表示14を目安に、カバー４のスライド距離を調節したり、カバー４の装着位置を合わせたりすることができ、操作性が向上する。
【００７５】
この表示14は、筐体に凸部を形成しても、凹部を形成しても、文字を入れても、印刷でも何でもよい。また、この表示14は、各ロック位置に設けても良いし、１箇所のロック位置だけに設けても良い。
【００７６】
このように、この携帯形無線装置では、カバー４を閉じた携帯時と、カバー４を開いたテンキー操作時の二つの形態において、カバー４の移動がロックされるため、操作性が向上する。
【００７７】
また、ロック用爪10をカバーと一体成形し、カバーの弾性を利用してロック構造を形成しているため、構成が簡単であり、部品点数を減らすことができ、また、破損の可能性を減少させることができる。
【００７８】
また、がたつき防止部13を持つストッパー用突起12を設けているため、キー操作を行うためにカバーを開いたときでも、カバーががたついたり、脱落したりする虞れがない。
【００７９】
また、カバーを筺体に着脱する操作も円滑に行うことができる。
【００８０】
なお、ここでは、がたつき防止部を持つストッパー用突起を筺体の側に設けているが、これをカバーの側に設け、図２（ｂ）のストッパー用突起22を筺体側に設けても良い。
【００８１】
【発明の効果】
以上の説明から明らかなように、本発明の携帯形無線装置は、スライドカバーを閉じた携帯時の状態のままで、キー操作や通話を行うことが可能である。
【００８２】
また、カバーの押圧部やロック用爪などをカバーと一体成形しているため、部品点数が少なく、構造が簡単であり、また、破損や故障の可能性が少ない。
【００８３】
また、小型化が可能であり、操作性に優れ、デザインの自由度が広く、また、通話品質の劣化が少ない携帯形無線装置を実現することができる。
【図面の簡単な説明】
【図１】本発明の第１の実施形態における携帯形無線装置のカバーを閉じた状態を示す正面図（ａ）と、カバーを開いた状態を示す正面図（ｂ）と、カバーを開いた状態を示す側面図（ｃ）、
【図２】第１の実施形態の携帯形無線装置の２色成形法を用いて形成したカバーの斜視図（ａ）と、そのカバーの裏面図（ｂ）、
【図３】第１の実施形態の携帯形無線装置における押下防止凸部の配置位置を示す正面図（ａ）と、押下防止凸部を配置した筺体を示す正面図（ｂ）と、押下防止凸部を示す斜視図（ｃ）、
【図４】第１の実施形態の携帯形無線装置における送話用開口部周囲の筒状リブを示す斜視図（ａ）と、送話用開口部周囲の筒状リブを示す断面図（ｂ）と、筺体の送話用開口部周囲の筒状リブを示す正面図（ｃ）、
【図５】第２の実施形態の携帯形無線装置の斜視図（ａ）と、そのレール構造を示すＢ−Ｂ断面図（ｂ）、
【図６】第２の実施形態の携帯形無線装置のカバーを閉じた状態のロック構造を示す部分拡大図（ａ）と、カバーを開いた状態のロック構造を示す部分拡大図（ｂ）、
【図７】第２の実施形態の携帯形無線装置のストッパー用突起部とがたつき防止部とを示す部分拡大側面図（ａ）と、部分拡大正面図（ｂ）、
【図８】第２の実施形態の携帯形無線装置のカバーを取り外した状態を示す斜視図（ａ）と、ロック位置表示部を示す拡大図（ｂ）と、着脱用面取り部を示す断面図（ｃ）、
【図９】従来のスライド開閉するカバーを有する携帯形無線装置を示す斜視図である。
【符号の説明】
１  筐体
２  キー操作部
２ｂ  テンキー
３  送話器
４  カバー
４ａ  エラストマー材料部
５  押圧部
６ａ  携帯時の送話用開口部
６ｂ  テンキー操作時の送話用開口部
７  レール部
７ａ  着脱用面取り部
８  筒状リブ
９  筒状リブと勘合するリブ
10  ロック用爪
11ａ  携帯時ロック部
11ｂ  テンキー使用時ロック部
12  ストッパ用突起部
13  がたつき防止部
14  ロック位置表示
15  押下防止凸部
16  化粧パネル
17ａ  面取り部
22  ストッパ用突起部
【図１】
0004298054.tif 000002
【図２】
0004298054.tif 000003
【図３】
0004298054.tif 000004
【図４】
0004298054.tif 000005
【図５】
0004298054.tif 000006
【図６】
0004298054.tif 000007
【図７】
0004298054.tif 000008
【図８】
0004298054.tif 000009
【図９】
0004298054.tif 000010